(57)【要約】【課題】  オンラインデートサーチのようなオンラインサーチ結果の初期印象属性を選択及び表示するシステムを提供する。【解決手段】  最も関連性のある情報を素早く見れるように初期印象属性の表示を管理するシステム及び方法。何を見るか、ユーザによりカスタマイズすることができる。サーチコンテクスト内で、サーチ基準のセットに基づいてサーチが遂行される。ユーザは、表示されるべき初期印象属性のセットを確立するか、又は初期印象属性のデフォールトセットを使用することができる。デフォールトセットは、統計学的分析に基づいて決定される。サーチ結果が表示されるときには、初期印象属性も表示され、ユーザは、初期印象属性を再検討して、初期印象属性に一部分基づいて判断することができる。又、初期印象属性は、スレッド型オンライン会話の中で、又は目録をブラウジングしながら、使用することもできる。サーチ又はブラウズコンテクストは、オンラインデートサーチ、商品サーチ、グループ、不動産、又、職業のサーチも含む。【選択図】      図３
2010510577.tif 000002
【特許請求の範囲】
【請求項１】
オンライン比較を管理するのに使用する方法において、
オンライン候補に対するユーザの基準を決定するステップと、
前記ユーザの基準から少なくとも１つの属性を決定するステップと、
前記ユーザの基準を使用して、少なくとも１つの候補プロフィールを表示するステップと、
前記表示された少なくとも１つの候補プロフィールと共に前記少なくとも１つの属性を選択的に表示して、ユーザが、前記少なくとも１つの属性に一部分基づいて、前記候補を評価できるようにするステップと、
を備えた方法。
【請求項２】
少なくとも１つの属性を決定する前記ステップは、更に、他のユーザの属性選択の分析に基づいて属性のデフォールトセットを与えることを含む、請求項１に記載の方法。
【請求項３】
少なくとも１つの属性を決定する前記ステップは、更に、ユーザが、「有していなければならない」ユーザの基準或いは好ましいユーザの基準の少なくとも一方を指定するのに一部分基づいてデフォールト属性を与えることを含む、請求項１に記載の方法。
【請求項４】
少なくとも１つの属性を決定する前記ステップは、更に、ユーザの通信及びブラウジング習慣の分析に基づいて属性のデフォールトセットを与えることを含む、請求項１に記載の方法。
【請求項５】
少なくとも１つの属性を選択的に表示する前記ステップは、更に、前記表示された少なくとも１つの候補プロフィールと共にユーザ選択メカニズムを与えることを含む、請求項１に記載の方法。
【請求項６】
ユーザが少なくとも１つの属性を変更できるようにするステップを更に備え、これは、その一部分として、ユーザがユーザの基準から別の属性を表示のために選択するか、又は表示のために現在選択されている少なくとも１つの属性を選択解除できるようにすることにより行われる、請求項１に記載の方法。
【請求項７】
請求項１に記載の方法を遂行するためのプログラムインストラクションを含むように構成された変調型データ信号。
【請求項８】
前記候補プロフィールは、更に、オンラインサーチ結果又はウェブページブラウジングの少なくとも一方に関連付けられる、請求項１に記載の方法。
【請求項９】
サーチ結果を表示するのに使用するよう構成されたクライアント装置において、
ディスプレイと、
前記ディスプレイと通信するプロセッサであって、これが複数のオペレーションを遂行するようにさせるインストラクションを含むようなプロセッサと、
を備え、前記複数のオペレーションは、
ユーザがオンラインサーチの候補に対しサーチ基準を与えることができるようにし、
ユーザが前記サーチ基準から少なくとも１つの属性を選択できるようにし、
前記サーチ基準を使用して候補のリストについてサーチを開始し、
前記候補のリストから候補に対する少なくとも１つの候補プロフィールを表示し、そして
前記表示された少なくとも１つの候補プロフィールと共に前記少なくとも１つの属性を選択的に表示して、ユーザが、前記少なくとも１つの属性に一部分基づいて、前記候補を評価できるようにする、
ことを含む、クライアント装置。
【請求項１０】
前記少なくとも１つの候補プロフィールを表示することは、更に、前記少なくとも１つの候補プロフィールをｅ−メール内に表示することを含む、請求項９に記載のクライアント装置。
【請求項１１】
前記候補は、更に、オンラインデートサービス、製品、関心事又はコミュニティグループ、不動産、又は職業の地位からの候補を含む、請求項９に記載のクライアント装置。
【請求項１２】
前記少なくとも１つの属性を選択的に表示することは、更に、各候補プロフィールについて少なくとも１つの属性を表示し、少なくとも１つの候補プロフィールについて少なくとも１つの属性を選択的に表示するための選択メカニズムを準備し、或いは規定の関連性格付けを越える候補のリスト内の各候補に対するサーチ結果に基づいて少なくとも１つの属性を表示する、のうちの少なくとも１つを含む、請求項９に記載のクライアント装置。
【請求項１３】
前記候補のリストから少なくとも１つの候補プロフィールを表示することは、更に、その少なくとも１つの候補プロフィールをスレッド型会話内に表示することを含み、そして前記少なくとも１つの属性を選択的に表示することは、更に、ユーザが少なくとも１つの属性を前記少なくとも１つの候補プロフィールと共にスレッド型会話内に表示できるようにすることを含む、請求項９に記載のクライアント装置。
【請求項１４】
オンラインサーチ結果を管理するのに使用するよう構成されたサーバー装置において、
情報を受信して別のコンピューティング装置へ送信するためのトランシーバーと、
前記トランシーバーと通信するプロセッサと、
前記プロセッサと通信するメモリであって、前記プロセッサが複数のオペレーションを遂行するようにさせるマシンインストラクション及びデータを記憶するためのメモリと、
を備え、前記複数のオペレーションは、
サーチ基準から少なくとも１つの初期印象属性を決定し、
前記サーチ基準を使用して候補のリストについてサーチを遂行し、
前記候補のリスト内の候補について候補プロフィールを表示し、そして
前記表示された候補プロフィールと共に前記少なくとも１つの初期印象属性を選択的に表示して、ユーザが、前記少なくとも１つの初期印象属性に一部分基づいて、前記候補を評価できるようにする、
ことを含む、サーバー装置。
【請求項１５】
前記候補プロフィールを表示することは、更に、スレッド型会話、前記候補のリスト内の１つ又は複数の候補プロフィール、或いはｅ−メール、のうちの１つの中に候補プロフィールを表示することを含む、請求項１４に記載のサーバー装置。
【請求項１６】
前記少なくとも１つの初期印象属性を選択的に表示することは、更に、前記少なくとも１つの初期印象属性の並置表示を表示することを含み、この並置表示は、候補プロフィールの少なくとも１つの結果と、候補プロフィールの候補に関連した１つのサーチ基準とを含む、請求項１４に記載のサーバー装置。
【請求項１７】
前記少なくとも１つの初期印象属性を決定することは、更に、ユーザが確認されない場合に、デフォールトの初期印象属性を与えることを含み、このデフォールトの初期印象属性は、初期印象属性の所定セット、初期印象属性の動的に変化するセット、ユーザの行動分析から決定された初期印象属性のセット、又は他のユーザの分析から決定された初期印象属性のセット、のうちの少なくとも１つに基づいて選択される、請求項１４に記載のサーバー装置。
【請求項１８】
前記少なくとも１つの初期印象属性を決定することは、更に、少なくとも１つの初期印象属性を変更するための要求をユーザから受け取ることを含む、請求項１４に記載のサーバー装置。
【請求項１９】
前記少なくとも１つの初期印象属性を選択的に表示することは、更に、少なくとも１つの初期印象属性を表示すべきかどうかユーザが決定できるようにする選択メカニズムを準備することを含む、請求項１４に記載のサーバー装置。
【請求項２０】
オンライン比較を管理するためのシステムにおいて、
少なくとも１つの初期印象属性を決定し、
ウェブページブラウジング又はオンラインサーチから候補のための候補プロフィールを準備する、
ことを含むアクションを遂行するように構成されたサーバー装置と、
ウェブページブラウジング又はオンラインサーチの少なくとも一方を遂行し、
分析基準を一部分与え、
候補プロフィールを表示し、そして
前記表示された候補プロフィールと共に前記少なくとも１つの初期印象属性を選択的に表示して、ユーザが、前記少なくとも１つの初期印象属性に一部分基づいて、前記候補を評価できるようにする、
ことを含むアクションを遂行するように構成されたクライアント装置と、
を備えたシステム。
【請求項２１】
前記少なくとも１つの初期印象属性を決定することは、更に、前記サーチ基準からデフォールトの初期印象属性を決定し、又は前記クライアント装置から前記少なくとも１つの初期印象属性の選択を受け取る、のうちの少なくとも１つを含む、請求項２０に記載のシステム。
【請求項２２】
前記少なくとも１つの初期印象属性を選択的に表示することは、更に、スレッド型会話、ｅ−メール、又は候補プロフィールのリストの表示の中から少なくとも１つの初期印象属性を表示すべきかどうかユーザが選択できるようにすることを含む、請求項２０に記載のシステム。
【発明の詳細な説明】
【技術分野】
【０００１】
本発明は、一般に、オンラインサーチサービスに係り、より詳細には、オンラインデートサーチのようなオンラインサーチ結果の初期印象属性を選択及び表示できるようにする種々の実施形態に係るが、これに限定されない。
【０００２】
本出願は、参考としてここに全体を援用する２００６年１１月１７日に出願された米国特許出願第１１／５６１，２５４号の優先権を主張する。
【背景技術】
【０００３】
デートサービス（恋人紹介所）は、現在、ある年度に対する少なくとも１つの調査によれば、米国内の全インターネットユーザの２６％以上が個人ウェブサイトを訪問するほど普及している。その理由の一部として、オンラインデートは、この時点で人々が存在する場所の自然の延長線上であると思われる。即ち、多くの人々は、今日、パーソナルコンピュータを有しているか、又はパーソナルコンピュータへ少なくともアクセスする。更に、実質上、誰でも恋に落ちることを望む。従って、これら２つのことが合体するのは自然である。従って、オンラインデートサービスは、世界最大の独身者向けバーであると思われる。それを除くと、自宅のプライバシーの中で行うことができ、別の個人に関して読み取りを行い、ｅ−メール、電話、等により彼らを知り、実際のデートへと至るまでに時間がかかるものである。
【０００４】
オンラインデートは、潜在的なパートナーを「選別」することが相当容易になったが、複雑で且つ時には圧倒的な作業であることに変わりがない。このようなオンラインデートサービスのユーザは、大勢の候補に対する資産、趣味及び背景資料に関する多量の情報をしばしば検討しなければならない。この情報の多くは、一般的なウェブ規格に基づいて、又はオンラインデートサービスがどのようにそれを表示するのを好むかに基づいて、編成される。しかしながら、各潜在的なパートナーが異なるのと同様に、潜在的なパートナーに関してユーザが何を知りたいかも異なる。それ故、これら及び他の事柄に関して本発明がなされた。
【０００５】
以下、添付図面を参照して、本発明を説明するが、これは、本発明を限定するものでもないし、又、余す所のないものでもない。特に指示のない限り、多数の図面全体にわたり同じ部分が同じ参照番号で示されている。
【０００６】
本発明を良く理解するために、添付図面を参照して以下の詳細な説明を読まれたい。
【図面の簡単な説明】
【０００７】
【図１】本発明を実施するための環境の一実施形態を示すブロック図である。
【図２】本発明を実施するシステムに含ませることのできるサーバー装置の一実施形態を示す。
【図３】サーチ結果に対する初期印象属性の選択及び表示を管理するためのプロセスの一実施形態を一般的に示す論理フローチャートである。
【図４】サーチ結果の初期第一印象を与えるのに使用される初期印象属性を選択及び表示するプロセスの一実施形態を示す論理フローチャートである。
【図５】初期印象属性を伴うオンラインデート相手プロフィールのスクリーンショットの一実施形態を示す。
【図６】サーチ結果の初期第一印象を与えるのに使用される初期属性のセットを変更するのに使用するためのスクリーンショットの実施形態を示す。
【図７Ａ】サーチ結果の初期第一印象を与えるのに使用するために初期属性のセットを変更するのに使用されるスクリーンショットの実施形態を示す。
【図７Ｂ】サーチ結果の初期第一印象を与えるのに使用するために初期属性のセットを変更するのに使用されるスクリーンショットの実施形態を示す。
【発明を実施するための形態】
【０００８】
以下、本発明の特定の実施形態を示す添付図面を参照して、本発明を詳細に説明する。しかしながら、本発明は、多数の異なる形態で実施でき、ここに述べる実施形態に限定されないと解釈すべきであり、むしろ、これら実施形態は、この開示を完全なものとして、本発明の範囲を当業者に充分に伝達するように設けられたものである。とりわけ、本発明は、方法又は装置として実施することができる。従って、本発明は、完全にハードウェアの実施形態、完全にソフトウェアの実施形態、又はソフトウェアとハードウェアの観点を合成した実施形態の形態をとり得る。それ故、以下の詳細な説明は、それに限定されるものではない。
【０００９】
明細書及び特許請求の範囲の全体を通じて、以下の語は、特に明確な指示のない限り、ここで明確に関連付けされる意味をもつ。ここで使用する「一実施形態において」という句は、必ずしも同じ実施形態を参照するものではない。ここで使用する「又は」という語は、包括的「オア」演算子であり、特に明確な指示のない限り、「及び／又は」の語と同等である。又、「に基づく」という語は、排他的ではなく、特に明確な指示のない限り、ここに述べない付加的なファクタに基づくことも許す。更に、明細書全体を通して、“a”、“an”及び“the”の意味は、複数参照も含む。“in”の意味は、“in”及び“on”も含む。
【００１０】
簡単に述べると、本発明は、第一印象属性とも時々称される初期印象属性の表示を管理することに向けられる。一実施形態では、初期印象属性は、サーチコンテクスト内で使用することができる。例えば、ユーザには、サーチを遂行するところのサーチ基準を提示することができる。一実施形態では、サーチは、オンラインデートサービスのコンテクスト内で遂行される。しかしながら、本発明は、これに限定されるものではなく、他の形式のコンテクストを使用することもできる。例えば、商品、参加すべき社交的ネットワークグループ、職業、或いはユーザが結果の属性の迅速な比較を行うことを希望する種々の他のコンテクストのいずれかについてコンテクストをブラウジングする間の初期印象属性の表示がそうである。
【００１１】
ユーザは、サーチを遂行し、ブラウジングを遂行し、又は表示されるべき初期印象属性のセットを変更するように選択することができる。ユーザが初期印象属性のセットを選択しない場合には、デフォールトセットを与えることができる。一実施形態では、ユーザは、実質上いつでも、初期印象属性の表示されたセットを変更することができる。一実施形態では、初期印象属性のセットは、持続し、即ちユーザがそれらを変更することを選択するまで持続する。一実施形態では、初期印象属性のセットは、サーチ基準又は他の分析基準内から選択された属性のサブセットである。一実施形態では、サーチ（或いは他の分析又はブラウジング）の結果が表示されるときに、初期印象属性のセットを目立つ位置に表示し、ユーザが初期印象属性を迅速に再検討して、表示された結果に関する付加的な詳細を調査したり更なる詳細のために別のページを開いたりせずに、初期印象属性に一部分基づいて判断を行うことができるようにする。別の実施形態では、初期印象属性の選択的な表示を可能にするためのメカニズムが設けられる。
【００１２】
一実施形態では、初期印象属性のセットは、ｅ−メールスレッドへの接近、潜在的サーチ結果を含むｅ−メール内、又は種々の他のコンテクストのいずれかを含めて、種々のコンテクストを通じてユーザへ与えることもできる。従って、例えば、一実施形態では、ユーザがスレッドオンライン会話に参加するときに、初期印象属性のセットは、ユーザに表示することもできるし、又は例えば、初期印象属性のセットへのハイパーリンクを通してユーザに表示するように容易に入手することもできる。
【００１３】
例示的動作環境
図１は、本発明が動作できる環境の一実施形態を示す。しかしながら、本発明を実施するのにこれらコンポーネントが全部必要とされるのではなく、本発明の精神又は範囲内でコンポーネントの配列及び形式を変更することができる。
【００１４】
図示されたように、システム１００は、クライアント装置１０２−１０４、ネットワーク１０５、ワイヤレスネットワーク１１０、及びオンラインサーチサーバー（ＯＳＳ）１０６を備えている。ネットワーク１０５は、クライアント装置１０２−１０３及びＯＳＳ１０６の各々と通信し、且つそれらの間で通信を行えるようにする。ワイヤレスネットワーク１１０は、ネットワーク１０５と通信すると共に、クライアント装置１０４と、ネットワーク１０５により、クライアント装置１０２−１０３及びＯＳＳ１０６との間で通信を行うことができる。
【００１５】
一般的に、クライアント装置１０２−１０４は、実質上、ネットワーク１０５、ワイヤレスネットワーク１１０、等のネットワークを経て、ＯＳＳ１０６のような別のコンピューティング装置との間で互いにメッセージを送信及び受信することのできるいかなるコンピューティング装置を含んでもよい。このような装置のセットは、典型的に、ワイヤード通信媒体を使用して接続する装置、例えば、パーソナルコンピュータ、マルチプロセッサシステム、マイクロプロセッサベースの又はプログラム可能な消費者向け電子装置、ネットワークＰＣ、等を含む。又、このような装置のセットは、典型的に、ワイヤレス通信媒体を使用して接続する装置、例えば、セルラー電話、スマートホン、ページャー、ウォーキー・トーキー、高周波（ＲＦ）装置、赤外線（ＩＲ）装置、ＣＢ、１つ以上の先行する装置を結合する一体化装置、或いは実質上任意の移動装置、等も含む。同様に、クライアント装置１０２−１０４は、ワイヤード又はワイヤレス通信媒体を使用して接続できる任意のコンピューティング装置、例えば、ＰＤＡ、ＰＯＣＫＥＴ  ＰＣ、ラップトップコンピュータ、着用型コンピュータ、移動電話、並びにワイヤード及び／又はワイヤレス通信媒体を経て通信するように装備された他の装置でもよい。
【００１６】
クライアント装置１０２−１０４は、ウェブページ、ウェブベースのメッセージ、等を受信及び送信するように構成されたブラウザアプリケーションを含む。ブラウザアプリケーションは、標準的一般化マークアップ言語（ＳＭＧＬ）、ハイパーテキストマークアップ言語（ＨＴＭＬ）、エクステンシブルマークアップ言語（ＸＭＬ）、等を含む実質的に任意のウェブベース言語を使用して、グラフィック、テキスト、マルチメディア、等を受信しそして表示するように構成される。
【００１７】
クライアント装置１０２−１０４は、更に、それ自身と別のコンピューティング装置との間で、ショートメッセージサービス（ＳＭＳ）、マルチメディアメッセージサービス（ＭＭＳ）、インスタントメッセージング（ＩＭ）、インターネットリレーチャット（ＩＲＣ）、マーダム−ベイの(Mardam-Bey's)ＩＲＣ（ｍＩＲＣ）、Ｊａｂｂｅｒ、等によりメッセージを通信することを含む種々の他のアクションを遂行できるようにするクライアントアプリケーションを含む。ブラウザアプリケーション及び／又は別のアプリケーション、例えば、クライアントアプリケーション、プラグインアプリケーション、等は、クライアント装置１０２−１０４が別のコンピューティング装置へコンテンツを通信できるようにする。
【００１８】
クライアント装置１０４は、ポータブルであるよう構成されたコンピューティング装置の一実施形態を表す。従って、クライアント装置１０４は、別のコンピューティング装置に接続されて情報を受信できる実質的に任意のポータブルコンピューティング装置を含んでもよい。このような装置は、セルラー電話、スマートホン、ディスプレイページャー、高周波（ＲＦ）装置、赤外線（ＩＲ）装置、パーソナルデジタルアシスタント（ＰＤＡ）、ハンドヘルドコンピュータ、ラップトップコンピュータ、着用型コンピュータ、タブレットコンピュータ、１つ以上の先行する装置を結合する一体化装置、等のポータブル装置を含む。従って、クライアント装置１０４は、典型的に、能力及び特徴に関して広い範囲である。例えば、セルラー電話は、数字キーパッドと、テキストしか表示できない数行の単色ＬＣＤディスプレイとを有する。別の例では、ウェブイネーブル型リモート装置は、タッチ感知スクリーンと、スタイラスと、テキスト及びグラフィックの両方を表示できる数行のカラーＬＣＤディスプレイとを有する。更に、ウェブイネーブル型リモート装置は、ワイヤレスアプリケーションプロトコルメッセージ（ＷＡＰ）、等を受信及び送信するようにイネーブルされるブラウザアプリケーションを含む。一実施形態では、ブラウザアプリケーションは、ハンドヘルド装置マークアップ言語（ＨＤＭＬ）、ワイヤレスマークアップ言語（ＷＭＬ）、ＷＭＬＳｃｒｉｐｔ、ＪａｖａＳｃｒｉｐｔ（登録商標）、ＸＭＬ、等を使用して、メッセージを表示及び送信するようにイネーブルされる。
【００１９】
又、クライアント装置１０４は、別のコンピューティング装置からコンテンツを受信するように構成された少なくとも１つのクライアントアプリケーションも含む。このクライアントアプリケーションは、テキストコンテンツ、グラフィックコンテンツ、オーディオコンテンツ、等を与え及び受け取る能力を含むことができる。クライアントアプリケーションは、更に、それ自身を識別する情報であって、形式、能力、名前、等を含む情報を与えることができる。一実施形態では、クライアント装置１０４は、電話番号、移動識別番号（ＭＩＮ）、電子的シリアル番号（ＥＳＮ）、移動加入者サービス総合デジタル網（ＭＳ−ＩＳＤＮ）、又は他の移動装置識別子を含む種々のメカニズムのいずれかによりそれ自身を独特に識別することができる。
【００２０】
又、クライアント装置１０４は、それ自身と、ＯＳＳ１０６、等の別のコンピューティング装置との間で、ＳＭＳ、ＭＭＳ、ＩＭ、ＩＲＣ、ｍＩＲＣ、Ｊａｂｂｅｒ、等を通してメッセージを通信するように構成することもできる。しかしながら、本発明は、これらのメッセージプロトコルに限定されず、実質的に任意の他のメッセージプロトコルを使用してもよい。
【００２１】
クライアント装置１０２−１０４は、更に、ユーザがオンラインデートサービスに参加し、オンラインデートサービスに関連した個人的ユーザ情報、等を管理できるように構成することもでき、これら情報は、次いで、ＯＳＳ１０６、等の位置にセーブすることができる。又、クライアント装置１０２−１０４は、ユーザが、オンラインデートサービスを越えて、種々の他のサービスのいずれかを遂行できるように構成することもできる。従って、クライアント装置１０２−１０４は、更に、クライアント装置に代わって種々のアクションを管理するように構成されたクライアントアプリケーションを含むこともできる。例えば、クライアントアプリケーションは、ユーザが、ブラウザアプリケーション、ｅ−メールアプリケーション、等と対話して、それらのオンラインデート情報又は他のサーチ情報を管理することができるようにする。例えば、オンラインデートサーチコンテクスト内で、ユーザは、クライアントアプリケーションを一部分使用して、ユーザプロフィールを生成し、個性タイプ及び恋愛スタイルテスト、関係テスト、等のオンラインデート個性分析に参加することができる。クライアントアプリケーションは、更に、オンラインデートサービスへのユーザ入力に少なくとも一部分基づくサーチの結果を受け取り且つそれと対話できるようにする。更に、クライアントアプリケーションは、ユーザがサーチのオンラインデートサービス結果と対話し、且つサーチ結果を自動的に改訂するのに使用されるアクションを与えることができるようにする。このような対話は、種々の候補のプロフィールをスキップするか、候補のプロフィールを見たり候補のプロフィールをセーブしたりするのを選択するか、又は他の個人的アクションを含むことができる。
【００２２】
又、クライアントアプリケーションは、ユーザが、サーチに関連した初期印象属性又は第一印象属性のセットを受け取りそして変更できるようにする。このような初期印象属性は、次いで、サーチ結果に関連して表示することができる。ユーザが、ユーザにとって特に関心のあるこれらの初期印象属性を選択しそして見ることができるようにすることで、ユーザは、サーチ結果が関心のあるものであるかどうかを素早く決定することができる。初期印象属性のセットを選択的に表示して、それらをサーチ結果と共に常に見ることができるか、それを見るためにユーザが特に選択した後に見ることができるか、所定の関連性格付けを有するサーチ結果についてのみ見ることができるか、又はそれらファクタの任意の組み合わせで見ることができるようにする。又、本発明の範囲から逸脱せずに、他の選択基準を使用して、初期印象属性をいつ表示すべきか決定することもできる。
【００２３】
ワイヤレスネットワーク１１０は、クライアント装置１０４及びそのコンポーネントをネットワーク１０５に結合するように構成される。又、ワイヤレスネットワーク１１０は、スタンドアローンのアドホックなネットワーク等を更にオーバーレイしてクライアント装置１０４に対するインフラストラクチャー指向の接続を与える種々のワイヤレスサブネットワークのいずれかを含むことができる。このようなサブネットワークは、メッシュネットワーク、ワイヤレスＬＡＮ（ＷＬＡＮ）ネットワーク、クルラーネットワーク、等を含むことができる。
【００２４】
ワイヤレスネットワーク１１０は、更に、ワイヤレス無線リンク等によって接続されるターミナル、ゲートウェイ、ルーター、等の自律的システムを含むことができる。これらのコネクタは、自由に且つランダムに移動しそしてそれら自体任意に編成するように構成され、ワイヤレスネットワーク１１０のトポロジーが迅速に変化できるようにする。
【００２５】
ワイヤレスネットワーク１１０は、更に、セルラーシステム、ＷＬＡＮ、ワイヤレスルーター（ＷＲ）メッシュ、等に対して第２（２Ｇ）、２．５Ｇ、第３（３Ｇ）世代の無線アクセスを含む複数のアクセス技術を使用することができる。２Ｇ、２．５Ｇ、３Ｇ及び将来のアクセスネットワークのようなアクセス技術は、種々の移動度をもつクライアント装置１０４のような移動装置に対して広いエリアのカバレージを可能にする。例えば、ワイヤレスネットワーク１１０は、移動通信用のグローバルシステム（ＧＳＭ）、汎用パケット無線サービス（ＧＰＲＳ）、エンハンストデータＧＳＭエンビロンメント（ＥＤＧＥ）、ワイドバンドコード分割多重アクセス（ＷＣＤＭＡ）、等の無線ネットワークアクセスを通して無線接続を行えるようにする。本質的に、ワイヤレスネットワーク１１０は、クライアント装置１０４と、別のコンピューティング装置、ネットワーク等との間で情報を伝達できる実質的にいかなるワイヤレス通信メカニズムを含んでもよい。
【００２６】
ネットワーク１０５は、ＯＳＳ１０６及びそのコンポーネントを、クライアント装置１０２−１０３を含む他のコンピューティング装置に結合し、又、ワイヤレスネットワーク１１０を経てクライアント装置１０４に結合するように構成される。ネットワーク１０５は、１つの電子装置から別の電子装置へ情報を通信するために任意の形態のコンピュータ読み取り可能な媒体を使用することができる。又、ネットワーク１０５は、ローカルエリアネットワーク（ＬＡＮ）、ワイドエリアネットワーク（ＷＡＮ）、ユニバーサルシリアルバス（ＵＳＢ）ポートによる直接接続、他の形態のコンピュータ読み取り可能な媒体、又はその組合せに加えて、インターネットを含むことができる。異なるアーキテクチャー及びプロトコルに基づくものを含むＬＡＮの相互接続セットにおいて、ルーターは、ＬＡＮ間のリンクとして働き、その１つから別のものへメッセージを送信できるようにする。又、ＬＡＮ内の通信リンクは、典型的に、ねじれワイヤ対又は同軸ケーブルを含むが、ネットワーク間の通信リンクは、アナログ電話回線、Ｔ１、Ｔ２、Ｔ３及びＴ４を含む完全又は部分的専用デジタル回線、サービス総合デジタル網（ＩＳＤＮ）、デジタル加入者ライン（ＤＳＬ）、衛星リンクを含むワイヤレスリンク、或いは当業者に知られた他の通信リンクを利用することができる。更に、リモートコンピュータ及び他の関連電子装置は、モデム及び一時的電話リンクを経てＬＡＮ又はＷＡＮにリモート接続することができる。本質的に、ネットワーク１０５は、コンピューティング装置間で情報を伝達できる任意の通信方法を含む。
【００２７】
更に、通信媒体は、典型的に、搬送波のような変調データ信号、データ信号、又は他のトランスポートメカニズムにおいて、コンピュータ読み取り可能なインストラクション、データ構造、プログラムモジュール、又は他のデータを具現化し、そして任意の情報配送媒体を含む。「変調データ信号」及び「搬送波信号」という語は、その特性セットの１つ以上を有するか、又は信号において情報、インストラクション、データ、等をエンコードするように変化される信号を含む。例えば、通信媒体は、ワイヤード媒体、例えば、ねじれ対、同軸ケーブル、光ファイバー、導波管及び他のワイヤード媒体と、ワイヤレス媒体、例えば、音響、ＲＦ、赤外線及び他のワイヤレス媒体とを含む。
【００２８】
図２を参照して、ＯＳＳ１０６の一実施形態を以下に詳細に説明する。しかしながら、簡単に述べると、ＯＳＳ１０６は、少なくとも１つのクライアント装置１０２−１０４のユーザが、それらのサーチ活動と、初期印象属性の関連セットとを管理できるようにするためにネットワーク１０５に接続できる任意のコンピューティング装置を含むことができる。ＯＳＳ１０６として動作できる装置は、パーソナルコンピュータ、デスクトップコンピュータ、マルチプロセッサシステム、マイクロプロセッサベースの又はプログラム可能な消費者向け電子装置、ネットワークＰＣ、サーバー、等を含む。
【００２９】
図１は、ＯＳＳ１０６として動作できる単一のコンピューティング装置を示しているが、本発明は、それに限定されないことに注意されたい。例えば、ＯＳＳ１０６に起因するアクションは、本発明の範囲又は精神から逸脱せずに、サーバーのグループ、ネットワーククラスター、等の多数のコンピューティング装置にわたって分散することができる。
【００３０】
例示的なサーバー環境
図２は、本発明の一実施形態に基づくサーバー装置の一実施形態を示す。サーバー装置２００は、図示された以上に多数のコンポーネントを含んでもよい。しかしながら、本発明を実施する例示的実施形態を開示するには、図示されたコンポーネントで充分である。サーバー装置２００は、図１のＯＳＳ１０６の一実施形態として使用することができる。
【００３１】
サーバー装置２００は、処理ユニット２１２及び大量メモリを備え、これらは、全て、バス２２２を経て互いに通信する。大量メモリは、一般的に、ＲＡＭ２１６と、ＲＯＭ２３２と、１つ以上の永久的大量記憶装置、例えば、ハードディスクドライブ２２８、テープドライブ、光学的ドライブ、及び／又はフロッピー（登録商標）ディスクドライブとを含む。大量メモリは、サーバー１０２のオペレーションを制御するためのオペレーティングシステム２２０を記憶する。汎用のオペレーティングシステムを使用してもよい。サーバー１０２の低レベルオペレーションを制御するために、基本的入力／出力システム（ＢＩＯＳ）２１８も設けられる。図２に示すように、サーバー装置２００は、ＴＣＰ／ＩＰプロトコルを含む種々の通信プロトコルと共に使用するように構成されたネットワークインターフェイスユニット２１０を経て、図１のネットワーク１０５のようなインターネット又は他の何らかの通信ネットワークと通信することもできる。ネットワークインターフェイスユニット２１０は、時々、トランシーバー、トランシービング装置、ネットワークインターフェイスカード（ＮＩＣ）、等としても知られている。
【００３２】
又、サーバー装置２００は、ｅ−メールを送信及び受信するためのＳＭＴＰハンドラーアプリケーションを含むこともできる。又、サーバー装置２００は、ＨＴＴＰ要求を受け取り及び取り扱うためのＨＴＴＰハンドラーアプリケーションと、セキュアな接続を取り扱うためのＨＴＴＰＳハンドラーアプリケーションを含むこともできる。ＨＴＴＰＳハンドラーアプリケーションは、セキュアな形態で外部アプリケーションとの通信を開始することができる。
【００３３】
又、サーバー装置２００は、マウス、キーボード、スキャナ、又は図２に示されていない他の入力装置のような外部装置と通信するための入力／出力インターフェイス２２４も含む。同様に、サーバー装置２００は、更に、ハードディスクドライブ２２８のような付加的な大量記憶設備も含むことができる。ハードディスクドライブ２２８は、とりわけ、アプリケーションプログラム、データベース、等を記憶するように、サーバー１０２により利用される。
【００３４】
上述した大量メモリは、別の形式のコンピュータ読み取り可能な媒体、即ちコンピュータ記憶媒体を示す。コンピュータ記憶媒体は、コンピュータ読み取り可能なインストラクション、データ構造、プログラムモジュール又は他のデータのような情報を記憶するための方法又は技術で実施される揮発性、不揮発性、除去可能及び除去不能な媒体を含む。コンピュータ記憶媒体は、例えば、ＲＡＭ、ＲＯＭ、ＥＥＰＲＯＭ、フラッシュメモリ又は他のメモリ技術、ＣＤ−ＲＯＭ、デジタル多様性ディスク（ＤＶＤ）又は他の光学的記憶装置、磁気カセット、磁気テープ、磁気ディスク記憶装置又は他の磁気記憶装置、或いは希望の情報を記憶するのに使用でき且つコンピューティング装置によりアクセスできる他の媒体を含む。
【００３５】
又、大量メモリは、プログラムコード及びデータも記憶する。１つ以上のアプリケーション２５０が大量メモリにロードされ、オペレーティングシステム２２０において実行される。アプリケーションプログラムは、例えば、ｅ−メールプログラム、スケジューラー、カレンダー、ウェブサーバー、トランスコーダー、データベースプログラム、ワード処理プログラム、スプレッドシートプログラム、等を含む。大量記憶装置は、更に、オンラインサーチ及び初期属性マネージャー（ＯＳＡＭ）２５２のようなアプリケーションを含むこともできる。
【００３６】
ＯＳＡＭ２５２は、ユーザが、そのオンラインサーチ情報を管理し、他のユーザ及び非ユーザと通信し、そして一般的にオンラインサーチアクティブティを遂行することができるようにする。ＯＳＡＭ２５２は、クライアント装置のユーザがオンラインサーチ体験に参加できるようにする種々の特徴を発揮する。一実施形態では、ＯＳＡＭ２５２は、例えば、オンラインサービスのサーチ結果を個人的入力に基づき自動的に変更するように構成される。
【００３７】
例えば、オンラインデートサービスコンテクストにおいて、ＯＳＡＭ２５２は、ユーザが、個性及び関係の適合性、並びに任意であるが、ユーザに関連した他の社交的観点に関する質問を含む一連の質問に回答することにより、自分自身に関する情報を与えることができるようにする。一実施形態では、ＯＳＡＭ２５２は、ユーザが種々のテストを受けられるようにする。これらテストの結果を、ユーザとの潜在的に長期間の関係の候補のサーチに使用することができる。例えば、ＯＳＡＭ２５２は、ユーザが個性のタイプ及び恋愛スタイルのテスト又は関係のテストに参加するのを許すことができる。しかしながら、本発明は、これに限定されず、本発明の範囲又は精神から逸脱せずに他のテストを使用してもよい。更に、例えば、職業サーチのような異なるサーチコンテクストでは、ＯＳＡＭ２５２により、同様のタイプの情報、質問、テスト、等を与えることもできる。更に、ＯＳＡＭ２５２は、ユーザのサーチを遂行するために、ユーザ、ユーザの活動、関係、等の付加的な情報を使用することもできる。
【００３８】
ＯＳＡＭ２５２は、更に、ユーザが、サーチを遂行すべき種々の基準のリストから選択を行うのを許す。例えば、オンラインデートサーチコンテクスト内で、種々の基準のリストは、ユーザが好む種々の特徴、例えば、身長、体重、髪の色、喫煙の好み、飲酒の好み、趣味、政治的関心、宗教的関心、学歴、職業、又は実質的に多数の他の考えられるオンラインデート基準のいずれかを含む。一実施形態では、ＯＳＡＭ２５２は、ユーザが、種々の基準の１つ以上を、「有していなければならない(must have)」基準として識別するのを許す。従って、例えば、ユーザは、サーチの結果が非喫煙者しか含んではならない、等と決定してもよい。
【００３９】
ＯＳＡＭ２５２は、選択されたサーチ基準の結果、及びもし得られれば、テスト入力を使用して、統合されたサーチ基準のセットを発生することができる。次いで、統合されたサーチ基準を使用して、１つ以上のデータ記憶装置でサーチを遂行し、与えられた統合サーチ基準に一致するか又はほぼ厳密に一致する可能な結果を識別することができる。
【００４０】
サーチを遂行する際にＯＳＡＭ２５２により非常に多数の基準が使用されるので、ＯＳＡＭ２５２は、更に、ユーザが初期印象属性のセットとして表示するところのサーチ基準のサブセットをユーザに与える。一実施形態では、初期印象属性のセットは、以下に詳細に述べるように、ＯＳＡＭ２５２によりユーザに対して決定される。一実施形態では、ユーザは、初期印象属性のセットを選択することができる。このような属性は、次いで、各サーチ結果に関連して選択的に表示され、種々の基準のいずれかに基づき、所与のサーチ結果等に対してユーザにより選択的に表示される。選択的に表示されるべき初期印象属性のセットをカスタマイズするのに使用できるインターフェイスのスクリーンショットの実施形態を、図６及び図７Ａ−７Ｂを参照して以下に詳細に説明する。
【００４１】
あるサーチにおいて、得られるプロフィールは、それ自身のサーチ基準に関連付けられる。例えば、オンラインデートサーチに関しては、潜在的候補は、個人が求める好みを有する。例えば、潜在的候補は、子供が好きな人、ペットが好きな人、種々の他の好みのいずれかをもつ人、等が求められる。従って、一実施形態では、ＯＳＡＭ２５２は、初期印象属性の選択的表示が、サーチ結果に対して属性基準の対応セットも含むようにすることができる。従って、一実施形態では、ＯＳＡＭ２５２は、各トピックに関する情報、サーチ結果（時々ポスターとも称される）を記述する情報、及びポスターが求めるものに関連した情報を二次元で表示する。両方の観点を表示することにより、サーチユーザには、ユーザが求める属性をチェックするのと同時に、それらが各結果（ポスター）の予想に適合することを保証するという融通性が与えられる。初期印象属性の二次元セットをサーチ結果と共に表示する一例は、図５を参照して以下に詳細に説明する。更に、ＯＳＡＭ２５２は、図３−４を参照して以下に述べるプロセスを使用して、そのアクションの少なくとも幾つかを遂行することができる。
【００４２】
ＯＳＡＭ２５２は、サーチを遂行し、初期印象属性を管理するように構成された単一のアプリケーションとして上述されたが、本発明は、これに限定されない。例えば、別の実施形態では、このようなファンクションは、複数のアプリケーションにわたって分散されてもよい。更に、これらのファンクションは、本発明の範囲から逸脱せずに、複数のコンピューティング装置にわたって分散されてもよい。
【００４３】
一般化されたオペレーション
本発明の幾つかの態様のオペレーションを、図３−４を参照して以下に説明する。図３は、選択を管理しそして初期印象属性を比較のために選択的に表示するプロセスの一実施形態を一般的に示す論理フローチャートである。
【００４４】
図３のプロセス３００は、例えば、図１のＯＳＳ１０６内で実施することができる。一実施形態において、クライアント装置１０２−１０４のようなクライアント装置のユーザは、ＯＳＳ１０６と対話して、初期印象属性を比較のために選択し且つ変更することができる。以下に述べるように、サーチ結果は、１つ以上のプロフィールに編成することができ、その一実施形態が、オンラインデートサーチについて図５に示されている。しかしながら、本発明は、プロフィールスクリーンを通して初期印象属性を変更するのに使用されるインターフェイスにアクセスすることに限定されず、他のメカニズムも使用できる。例えば、初期印象属性を変更するのに使用されるインターフェイスは、アイコン、プルダウンメニュー、プッシュボタン、又は種々の他の選択メカニズムのいずれかを通してアクセスすることもできる。
【００４５】
しかしながら、図示されたように、プロセス３００は、開始ブロックの後に始まり、ブロック３０２においてプロフィールが選択される。プロフィールと共に含まれるか又はプロフィールに関連付けられるのは、初期印象属性の選択的表示である。一実施形態では、初期印象属性は、プロフィール上又はプロフィール内の目立つ位置に表示される。一実施形態では、ユーザが初期印象属性を選択して表示できるようにするハイパーリンク又は他の選択可能なメカニズムを含ませることができる。
【００４６】
処理は、ブロック３０４へ進み、初期印象属性が表示される。一実施形態では、表示される属性は、図４を参照して以下に詳細に述べるような種々の基準に基づいて表示のために選択される。いずれにせよ、初期印象属性のインターフェイスが表示されると、プロセスは、判断ブロック３０６へ進み、ユーザは、選択的に表示されるべき属性の１つ以上を変更することを選択できる。ユーザが初期印象属性のセットを変更することを選択した場合に、プロセスは、ブロック３１４へ進み、さもなければ、処理は、判断ブロック３０８へ進む。
【００４７】
ブロック３１４において、ユーザには、初期印象属性を選択しそして変更するのに使用できる種々のメカニズムのいずれかが提示される。初期印象属性を選択／変更するための異なるインターフェイスメカニズムの実施形態を、図７Ａ−７Ｂを参照して以下に詳細に説明する。いずれにせよ、ユーザは、ユーザが選択的に表示されることを希望するものを選択し及び／又は他のものを選択解除することにより、初期印象属性を変更することができる。一実施形態では、ユーザは、初期印象属性のセットを再順序付けすることができる。次いで、処理は、ブロック３１２へ進み、そこで、変更がユーザに表示される。プロセスは、変更されるべき初期印象属性がもはやないことをユーザが指示するまで、判断ブロック３０６、そしてブロック３１４及び３１２を通してループする。
【００４８】
次いで、プロセス３００は、判断ブロック３０８へ進み、ユーザは、別のプロフィールを選択することができる。ユーザが、見るべき別のプロフィールを選択すると、プロセスは、ブロック３０２へ進み、そこで、選択されたプロフィールが表示され、さもなければ、コールプロセスへ戻って、他のアクションを遂行する。
【００４９】
図４は、サーチ結果の初期第一印象を与えるのに使用される初期属性を表示のために選択するプロセスの一実施形態を示す論理フローチャートである。一実施形態において、図４のプロセス４００は、図３のブロック３０４においてコールされる。
【００５０】
図示されたように、プロセス４００は、開始ブロックの後に始まり、判断ブロック４０２において、ユーザを確認できるアカウント又は他のメカニズムにユーザのサインが入れられたかどうかの決定がなされる。このようなサイン入力は、パスワードメカニズムを使用してもよいし、しなくてもよい。従って、ユーザを確認できる種々のメカニズムのいずれを使用してもよく、これは、例えば、ユーザに関連した移動装置識別子、ネットワーク識別子、等を使用することを含む。いずれにせよ、ユーザがサイン入力されず、さもなければ、確認されない場合には、プロセスは、ブロック４１２へ進む。しかしながら、ユーザが、サイン入力によるか、さもなければ、確認識別子を与えることで確認された場合には、プロセスは、判断ブロック４０４へ進む。
【００５１】
ブロック４１２において、初期印象属性のデフォールトセットが、ユーザに表示されるか、さもなければ、ユーザに得られるようにされる。一実施形態では、初期印象属性のデフォールトセットは、ハイパーリンク、アイコン、又は他の選択可能なメカニズムを通してユーザに得られるようにされる。初期印象属性の種々のデフォールトセットのいずれかが与えられる。例えば、一実施形態では、１人以上のユーザの統計学的分析に基づいてデフォールトセットが決定される。統計学的分析に基づいて、初期の第一印象属性の共通のセット又はより頻繁に選択されるセットが決定される。このセットが、次いで、ユーザに与えられる。
【００５２】
別の実施形態では、初期印象属性のデフォールトセットは、特定の性別、定義された製品、等に対し、ある期間にわたって、最も頻繁に使用された基準のセットを反映する決定された基準の動的に変化するセットに基づいて決定される。
【００５３】
更に別の実施形態では、初期印象属性のデフォールトセットは、属性の１つ以上のポスターにより与えられる初期印象属性のセットに基づいて決定される。例えば、オンラインデートの実施例では、初期印象属性のセットは、プロフィールの１つ以上のポスターがそれらの初期印象属性として何を指示するかに基づいてもよく、基準を有していなければならず、等々である。従って、上述したように、初期印象属性のセットは、本発明の範囲から逸脱せずに、種々の基準に基づいてもよい。いずれにせよ、プロセスは、次いで、ブロック４１２から進み、コールプロセスに戻って、他のアクションを遂行する。
【００５４】
しかしながら、メカニズムにおいて例えばサインによりユーザが確認される判断ブロック４０４では、ユーザが初期印象属性のセットを既に選択したかどうかの決定がなされる。これは、例えば、ユーザが、図３において上述したようなプロセス、等を既に使用している場合に生じ得る。いずれにせよ、ユーザが初期印象属性のセットを既に選択している場合には、プロセスは、ブロック４１４へ進み、さもなければ、判断ブロック４０６へ進む。
【００５５】
ブロック４１４において、ユーザが選択した初期印象属性は、データ記憶装置等に記憶される。従って、記憶された初期印象属性は、例えば、ユーザの確認識別子、等を使用して検索される。次いで、処理は、コールプロセスに戻って、他のアクションを遂行することができる。
【００５６】
しかしながら、判断ブロック４０６において、ユーザが分析基準を与えたかどうかの決定がなされる。このような分析基準は、例えば、オンラインサーチ基準、製品ブラウジング基準、ジョブ分析基準、等を含む。もしそうであれば、プロセスは、ブロック４０８へ進み、さもなければ、ブロック４１３へ分岐し、初期印象属性のセットを選択する。例えば、一実施形態では、初期印象属性のセットは、ブロック４１２に関連して上述したような初期印象属性のデフォールトセットを含む。しかしながら、初期印象属性のセットは、種々の他のメカニズムから選択されてもよい。例えば、一実施形態では、このセットは、ユーザ又は他のユーザによるブラウジング又はサーチ活動から好みのパターンを観察し、そしてその観察に基づいて初期印象属性のセットを使用することにより、選択されてもよい。別の実施形態では、初期印象属性のセットは、ユーザのプロフィールから導出されるか、又はユーザのコンピュータに記憶されたアドレス位置及び／又はクッキー等からプログラムでトレースされるユーザの既知の人口統計学的情報の組合せに基づいて選択されてもよい。いずれにせよ、ブロック４１３が完了すると、処理は、コールプロセスに戻り、他のアクションを遂行する。
【００５７】
ブロック４０８では、ユーザのサーチ基準を使用して、ユーザに対する初期印象属性のセットを決定することができる。例えば、一実施形態では、ユーザが「有していなければならない(must have)」形式のサーチ属性をそれらのサーチ基準に与えた場合には、このような「有していなければならない」属性を完全に又は一部分使用して、初期印象属性のユーザセットを決定することができる。ユーザが、「有していなければならない」サーチ基準を若干与えるか又は全く与えない場合には、一実施形態において、サーチ基準に対してユーザが選択した好みがもしあれば、それを使用して、初期印象属性のユーザセットを決定することができる。従って、例えば、オンラインデートの実施例において、ユーザは、禁煙が好ましいことを識別するが、「有していなければならない」基準は識別しない。次いで、このような好みを使用して、初期印象属性のユーザセットを決定することができる。又、初期印象属性のユーザセットは、ブラウジング又は通信の習慣を分析することにより完全に又は一部分決定されてもよい。ユーザが、例えば、禁煙者と主として接触する傾向がある場合に、喫煙習慣が重要であるという決定がなされる。従って、禁煙者がより好まれることが更に指示される。しかしながら、本発明は、これらのメカニズムに限定されず、実質的に、他のメカニズムを使用して、初期印象属性のユーザセットを、ユーザにより与えられるサーチ基準に一部分基づいて決定することができる。いずれにせよ、初期印象属性のセットが決定されると、プロセスは、ブロック４１０へ進み、ここで、そのセットが表示されるか、さもなければ、表示に利用できるようになる。次いで、処理は、コールプロセスに戻って、他のアクションを遂行する。
【００５８】
フローチャートの各ブロック、及びフローチャートにおけるブロックの組合せは、コンピュータプログラムインストラクションにより実施できることが理解されよう。これらのプログラムインストラクションは、マシンを形成するためにプロセッサへ与えられ、プロセッサで実行されるインストラクションは、フローチャートのブロック（１つ又は複数）で指定されたアクションを実施するための手段を生成する。コンピュータプログラムインストラクションは、プロセッサによって実行されて、コンピュータ実施プロセスを生成するようにプロセッサにより遂行されるべき一連の動作ステップを生じさせ、それらインストラクションは、プロセッサにおいて実行されて、フローチャートブロックで指定されたアクションを実施するためのステップを与える。
【００５９】
従って、フローチャートのブロックは、指定されたアクションを遂行するための手段の組合せ、指定されたアクションを遂行するためのステップの組合せ、及び指定されたアクションを遂行するためのプログラムインストラクション手段をサポートする。又、フローチャートの各ブロック、及びフローチャートにおけるブロックの組合せは、指定のアクション又はステップを遂行する特殊目的のハードウェアベースのシステム、或いは特殊目的のハードウェア及びコンピュータインストラクションの組合せによって実施できることも理解されたい。
【００６０】
図５は、初期印象属性を伴うオンラインデート相手プロフィールのスクリーンショットの一実施形態を示し、一方、図６及び図７Ａ−７Ｂは、サーチ結果の第一印象を与えるのに使用するために初期印象属性のセットを変更するのに使用されるスクリーンショットの種々の実施形態を示す。これら図面は、オンラインデートサーチ結果を示すが、本発明は、明らかにこれに限定されるものではない。ここでは、初期印象属性のセットを使用し及び／又は変更する実施形態を容易に実証するために、オンラインデートが単純に使用されている。
【００６１】
従って、図５に示すように、スクリーンショット５００は、オンラインデート相手プロフィールの一実施形態を示している。スクリーンショット５００内には、初期印象属性５０４を示すフレーム５０２がある。図示されたように、２セットの属性基準が、初期印象属性５０４に対して並置して、又は他の構成では垂直に、表示される。２つのセットは、結果の属性５０５、及び結果の属性の基準５０６を含む。従って、例えば、サーチ者は、喫煙、身長、髪、体型、及び政党の好みを初期印象属性として表示するように選択する。結果の属性５０５は、現在表示されたプロフィールに関連した結果を表し、この実施例では、プロフィールの結果（デート相手の候補に対する）が、喫煙するかどうか、その身長、髪の色、体型、及び政党の好みを表している。更に、結果の属性の基準５０６は、初期印象属性５０４としてデート相手の候補が何を求めているか（例えば、彼等のサーチ基準）を表している。このような情報を表示することにより、サーチ者は、プロフィールが得られた候補が、より広い評価を保証するかどうかの決定を素早く行うことができる。プロフィールが得られた候補を調査することをサーチ者が決定すると、サーチ者は、プロフィールが得られた候補がいかがなものか更に詳しく読み、プロフィールが得られた候補のサーチ基準５２０をより広範囲に読み、又は音声の挨拶５１０を聞き、プロフィールが得られた候補によるビデオ５１１を見、所定の質問５１２に対する即座の解答を読み、等々を行うことができる。しかしながら、質問５１２は、閉端応答で伝えられるものより明確に候補の本性の本質を伝える上で助けとなる散文、映像、及び／又は他の要素より成るものである。従って、質問５１２は、本発明の範囲を逸脱せずに、種々の他の要素と置き換えてもよいし又はそれにより補足されてもよい。
【００６２】
上述したように、初期印象属性５０４のセットと、結果の属性５０５及び結果の属性の基準５０６の並置比較とを、選択されたプロフィールと共に表示することもできるし、或いはハイパーリンク、アイコン又は他のメカニズムを使用して選択することもできる。
【００６３】
又、図示されたように、サーチ者が判断すると、初期印象属性のセットを変更するよう選択することができる。これは、例えば、リンク５０８を選択することにより、又は種々の他の選択メカニズムのいずれかを使用することにより、遂行することができる。
【００６４】
一実施形態において、サーチ者が、初期印象属性のセットを変更することを選択すると、図６のメニュー６００又は同様のスクリーンが表示される。一実施形態では、メニュー６００は、図５のスクリーンショット５００に示すプロフィールのような別のウインドウ上に表示することができる。
【００６５】
図６に示すように、一実施形態では、メニュー６００は、サーチ者が、プルダウン矢印６０８を選択することで、種々の初期印象属性６０２から選択を行えるようにする。例えば、図７Ａに示すように、図６のプルダウン矢印６０８の選択により、選択可能な初期印象属性７０４のメニュー７００Ａが与えられ、ここから、サーチ者が選択を行うことができる。
【００６６】
図７Ｂは、初期印象属性のセットを選択し及び／又は変更するのに使用できるメカニズム７００Ｂの別の実施形態を示す。図示されたように、サーチ者は、リスト７０６から選択を行い、そして初期印象属性７０８としてある属性をドラグし、クリックし、さもなければ、選択することができる。更に、サーチ者は、上下移動アイコン７１０、等のメカニズムを使用して初期印象属性のセットをランク及び順序付けすることが許される。従って、図６、７Ａ及び７Ｂに示すように、種々のメカニズムのいずれかを使用して、サーチ者が初期印象属性のセットを選択し及び／又は変更することができるようにする。
【００６７】
以上の説明は、サーチ者に表示されるサーチ結果の実施例に関するものであったが、初期印象属性のセットの表示は、種々の他の状態のいずれで与えられてもよい。従って、例えば、ｅ−メール等のメールメカニズムを使用してサーチ者にサーチ結果を与えるようにサーチツールを構成することもできる。この実施形態では、初期印象属性のセットがｅ−メールで与えられてもよいし、さもなければ、ｅ−メールでアクセスされてもよい。
【００６８】
別の実施例では、スレッド型会話への参加者に、スレッド型会話への別の参加者に関連した初期印象属性のセットを与えることができる。従って、一実施形態では、初期印象属性のセットは、プロフィールアブストラクション等に接近して表示され、他の参加者からのスレッド型会話を伴うメッセージを、メッセージのコンテンツだけではなく、初期印象属性トピックのセットが参加者の期待をどれほど充分に満足するかにも基づいて評価できるようにする。この場合も、初期印象属性のセットは、常に見えるようにされるか、参加者が表示のためにそれを選択した後に見えるようにされるか、参加者に対して定められた関連性格付けを満足する他の参加者の基準に基づいて見えるようにされるか、又は種々の他のファクタのいずれかに基づいて見えるようにされる。
【００６９】
上述した仕様、実施例及びデータは、本発明の構成物の製造及び利用を完全に説明するものである。本発明の精神及び範囲から逸脱せずに本発明の多数の実施形態がなされ得るので、本発明は、特許請求の範囲において規定される。
【符号の説明】
【００７０】
１０２：クライアント装置
１０３：クライアント装置
１０４：クライアント装置
１０５：ネットワーク
１０６：オンラインサーチサーバー（ＯＳＳ）
１１０：ワイヤレスネットワーク
２００：サーバー装置
２１０：ネットワークインターフェイスユニット
２１２：中央処理ユニット
２１４：ビデオディスプレイアダプタ
２１６：ＲＡＭ
２１８：ＢＩＯＳ
２２０：オペレーティングシステム
２２４：入力／出力インターフェイス
２２６：ＣＤ−ＲＯＭ／ＤＶＤ−ＲＯＭドライブ
２２８：ハードディスクドライブ
２３２：ＲＯＭ
２５０：アプリケーション
２５２：オンラインサーチ／属性マネージャー（ＯＳＡＭ）
【図１】
2010510577.tif 000003
【図２】
2010510577.tif 000004
【図３】
2010510577.tif 000005
【図４】
2010510577.tif 000006
【図５】
2010510577.tif 000007
【図６】
2010510577.tif 000008
【図７Ａ】
2010510577.tif 000009
【図７Ｂ】
2010510577.tif 000010
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
オンライン比較を管理するのに使用する方法において、
オンライン候補に対するユーザの基準を決定するステップと、
前記ユーザの基準から少なくとも１つの属性を決定するステップと、
前記ユーザの基準を使用して、少なくとも１つの候補プロフィールを表示するステップと、
前記表示された少なくとも１つの候補プロフィールと共に前記少なくとも１つの属性を選択的に表示して、ユーザが、前記少なくとも１つの属性に一部分基づいて、前記候補を評価できるようにするステップと、
を備えた方法。
【請求項２】
少なくとも１つの属性を決定する前記ステップは、更に、他のユーザの属性選択の分析に基づいて属性のデフォールトセットを与えることを含む、請求項１に記載の方法。
【請求項３】
少なくとも１つの属性を決定する前記ステップは、更に、ユーザが、「有していなければならない」ユーザの基準或いは好ましいユーザの基準の少なくとも一方を指定するのに一部分基づいてデフォールト属性を与えることを含む、請求項１に記載の方法。
【請求項４】
少なくとも１つの属性を決定する前記ステップは、更に、ユーザの通信及びブラウジング習慣の分析に基づいて属性のデフォールトセットを与えることを含む、請求項１に記載の方法。
【請求項５】
少なくとも１つの属性を選択的に表示する前記ステップは、更に、前記表示された少なくとも１つの候補プロフィールと共にユーザ選択メカニズムを与えることを含む、請求項１に記載の方法。
【請求項６】
ユーザが少なくとも１つの属性を変更できるようにするステップを更に備え、これは、その一部分として、ユーザがユーザの基準から別の属性を表示のために選択するか、又は表示のために現在選択されている少なくとも１つの属性を選択解除できるようにすることにより行われる、請求項１に記載の方法。
【請求項７】
前記候補プロフィールは、更に、オンラインサーチ結果又はウェブページブラウジングの少なくとも一方に関連付けられる、請求項１に記載の方法。
【請求項８】
オンラインサーチ結果を管理するのに使用するよう構成されたサーバー装置において、
情報を受信して別のコンピューティング装置へ送信するためのトランシーバーと、
前記トランシーバーと通信するプロセッサと、
前記プロセッサと通信するメモリであって、前記プロセッサが複数のオペレーションを遂行するようにさせるマシンインストラクション及びデータを記憶するためのメモリと、
を備え、前記複数のオペレーションは、
サーチ基準から少なくとも１つの初期印象属性を決定し、
前記サーチ基準を使用して候補のリストについてサーチを遂行し、
前記候補のリスト内の候補について候補プロフィールを表示し、そして
前記表示された候補プロフィールと共に前記少なくとも１つの初期印象属性を選択的に表示して、ユーザが、前記少なくとも１つの初期印象属性に一部分基づいて、前記候補を評価できるようにする、
ことを含む、サーバー装置。
【請求項９】
前記候補プロフィールを表示することは、更に、スレッド型会話、前記候補のリスト内の１つ又は複数の候補プロフィール、或いはｅ−メール、のうちの１つの中に候補プロフィールを表示することを含む、請求項８に記載のサーバー装置。
【請求項１０】
前記少なくとも１つの初期印象属性を選択的に表示することは、更に、前記少なくとも１つの初期印象属性の並置表示を表示することを含み、この並置表示は、候補プロフィールの少なくとも１つの結果と、候補プロフィールの候補に関連した１つのサーチ基準とを含む、請求項８に記載のサーバー装置。
【請求項１１】
前記少なくとも１つの初期印象属性を決定することは、更に、少なくとも１つの初期印象属性を変更するための要求をユーザから受け取ることを含む、請求項８に記載のサーバー装置。
【請求項１２】
前記少なくとも１つの初期印象属性を選択的に表示することは、更に、少なくとも１つの初期印象属性を表示すべきかどうかユーザが決定できるようにする選択メカニズムを準備することを含む、請求項８に記載のサーバー装置。
【請求項１３】
オンライン比較を管理するためのシステムにおいて、
少なくとも１つの初期印象属性を決定し、
ウェブページブラウジング又はオンラインサーチから候補のための候補プロフィールを準備する、
ことを含むアクションを遂行するように構成されたサーバー装置と、
ウェブページブラウジング又はオンラインサーチの少なくとも一方を遂行し、
分析基準を一部分与え、
候補プロフィールを表示し、そして
前記表示された候補プロフィールと共に前記少なくとも１つの初期印象属性を選択的に表示して、ユーザが、前記少なくとも１つの初期印象属性に一部分基づいて、前記候補を評価できるようにする、
ことを含むアクションを遂行するように構成されたクライアント装置と、
を備えたシステム。
【請求項１４】
前記少なくとも１つの初期印象属性を決定することは、更に、前記サーチ基準からデフォールトの初期印象属性を決定し、又は前記クライアント装置から前記少なくとも１つの初期印象属性の選択を受け取る、のうちの少なくとも１つを含む、請求項１３に記載のシステム。
【請求項１５】
前記少なくとも１つの初期印象属性を選択的に表示することは、更に、スレッド型会話、ｅ−メール、又は候補プロフィールのリストの表示の中から少なくとも１つの初期印象属性を表示すべきかどうかユーザが選択できるようにすることを含む、請求項１３に記載のシステム。
【国際調査報告】
2010510577.tif 000011
2010510577.tif 000012
2010510577.tif 000013